(57)【特許請求の範囲】
【請求項１】
カメラ本体の背面に配置される背面表示部と、
上記背面表示部に重畳するように設けられ、入力される操作指示を検出するタッチパネルと、
上記カメラ本体の上部に配置される覗き込み型のＥＶＦと、
画像の表示先を上記背面表示部または上記ＥＶＦのいずれかに切換える表示切換部と、
上記タッチパネルへの操作を検出して、上記背面表示部または上記ＥＶＦの画面に対する操作指令の入力を制御するタッチパネル制御部と、
を備え、上記タッチパネル制御部は、
上記表示切換部によって画像の表示先が上記背面表示部に切換えられた場合には、上記タッチパネルへタッチ入力された位置に直接対応する画面上の位置を入力位置と指定し、
上記表示切換部によって画像の表示先が上記ＥＶＦに切換えられた場合には、上記タッチパネルへの摺動入力で、その摺動動作の方向および量に応じて上記ＥＶＦ画面上で指定位置を移動させ、当該入力される摺動量に対する画面上での移動量の割合を、上記タッチパネルの１辺の全長より少ない摺動量で、上記ＥＶＦ画面の対応する辺の全長を移動できるようにする、
ことを特徴とするカメラ。
【請求項２】
上記タッチパネル制御部は、上記背面表示部使用時には、上記タッチパネルへの入力を有効とする領域を当該タッチパネルの面の全体に設定し、上記ＥＶＦ使用時には、上記タッチパネルへの入力を有効とする領域を当該タッチパネルの面の一部に限定することを特徴とする請求項１に記載のカメラ。
【請求項３】
カメラ本体の姿勢を検出する姿勢検出部を備え、
上記タッチパネル制御部は、上記ＥＶＦ使用時には、上記姿勢検出部によって検出されたカメラ本体の姿勢に応じて、上記有効とする領域を切換えることを特徴とする請求項２に記載のカメラ。
【請求項４】
上記タッチパネル制御部は、上記ＥＶＦ画面使用時の上記移動量の割合として、上記タッチパネルの１辺の全長の半分以下の摺動量で、上記ＥＶＦ画面の対応する辺の全長を移動できるように設定することを特徴とする請求項１に記載のカメラ。
【請求項５】
上記タッチパネル制御部は、タッチ操作が検出された場合に上記背面表示部およびＥＶＦ画面上いずれか切換えられた画面で位置指定用のカーソルを表示し、当該カーソルの摺動操作が検出された場合に当該摺動操作に応じて当該画面上を移動させ、さらに当該摺動操作後にタッチ操作が解除された場合、または当該タッチ操作解除後の再タッチ操作がされた場合には、当該カーソルで指定された画面上の条件を確定させることを特徴とする請求項２または３に記載のカメラ。
【請求項６】
上記タッチパネル制御部は、撮影指示があった場合またはカーソル表示が一定時間を経過した場合に、上記カーソルを消去するよう制御することを特徴とする請求項５に記載のカメラ。
【請求項７】
カメラ本体の背面に配置される背面表示部と、
上記背面表示部に重複するように設けられ、入力される操作指示を検出するタッチパネルと、
上記カメラ本体の上部に配置された覗き込み型のＥＶＦと、
画像の表示先を上記背面表示部または上記ＥＶＦのいずれかに切換える表示切換部と、
上記タッチパネルへの操作を検出して、上記背面表示部またはＥＶＦの画面に対する操作指令の入力を制御するタッチパネル制御部と、
を備え、
上記タッチパネル制御部は、上記表示切換部によって画像の表示先が上記ＥＶＦに切り換えられた場合には、上記背面表示部使用時よりも上記タッチパネルの狭い領域を入力検出領域に設定し、かつ当該検出領域と上記ＥＶＦ領域の画面の各位置を対応付けして、当該検出領域へのタッチ入力を上記ＥＶＦの画面上での対応付けられた位置への入力と指定し、かつ上記タッチパネルへの摺動入力で、その摺動動作の方向および量に応じて上記ＥＶＦ画面上で指定位置を移動させ、当該入力される摺動量に対する画面上での移動量の割合を、上記タッチパネルの１辺の全長より少ない摺動量で、上記ＥＶＦ画面の対応する辺の全長を移動できるようにすることを特徴とするカメラ。
【請求項８】
カメラ本体の姿勢を検出する姿勢検出部を備え、
上記タッチパネル制御部は、上記ＥＶＦ使用時には、上記姿勢検出部によって検出されたカメラ本体の姿勢に応じて、上記検出領域を切換えることを特徴とする請求項７に記載のカメラ。
【請求項９】
カメラ本体の背面に配置される背面表示部と、
上記背面表示部に重複するように設けられ、入力される操作指示を検出するタッチパネルと、
上記カメラ本体の上部に配置された覗き込み型のＥＶＦと、
画像の表示先を上記背面表示部または上記ＥＶＦのいずれかに切換える表示切換部と、
上記タッチパネルへの操作を検出して、上記背面表示部またはＥＶＦの画面に対する操作指令の入力を制御するタッチパネル制御部と、
を備え、
上記タッチパネル制御部は、上記背面表示部またはＥＶＦ画面のいずれか切換えられた画面上で、入力される摺動操作の方向および量に応じて指定位置を移動させ、当該入力される摺動量に対する画面上での移動量の割合を、上記ＥＶＦ画面使用時には上記背面表示部使用時よりも大きくすることを特徴とするカメラ。
【請求項１０】
上記タッチパネル制御部は、上記ＥＶＦ画面使用時の上記移動量の割合として、上記タッチパネルの１辺の半分以下の摺動量で、上記ＥＶＦ画面の対応する辺の全長を移動できるように設定することを特徴とする請求項９に記載のカメラ。
【請求項１１】
上記タッチパネル制御部は、タッチ操作が検出された場合に上記背面表示部およびＥＶＦ画面上いずれか切換えられた画面で位置指定用のカーソルを表示し、当該カーソルの摺動操作が検出された場合に当該摺動操作に応じて当該画面上を移動させ、さらに当該摺動操作後にタッチ操作が解除された場合、または当該タッチ操作解除後の再タッチ操作がされた場合には、当該カーソルで指定された画面上の条件を確定させることを特徴とする請求項９に記載のカメラ。
【請求項１２】
上記タッチパネル制御部は、撮影指示があった場合またはカーソル表示が一定時間を経過した場合に、上記カーソルを消去するよう制御することを特徴とする請求項１１に記載のカメラ。
【発明の詳細な説明】
【技術分野】
【０００１】
本発明は、カメラ本体の背面に配置される背面表示部と、覗き込み型のＥＶＦを備えたカメラに関する。
【背景技術】
【０００２】
交換レンズ式のカメラでは、ＬＣＤ（液晶ディスプレイ）からなる背面表示部と、覗き込み型ファインダの両方が設けられたカメラが提供されている。覗き込み型のファインダとしては、光学ファインダに限らずＥＶＦ（電子ビューファインダ：Electronic View Finder）も登場している。また、背面表示部には、カメラ用の入力手段としてボタン操作に比較し入力が簡単なタッチパネルが設けられることも多い。
【０００３】
このようなタッチパネル付き背面表示部と覗き込み型ファインダの両方が設けられたカメラにおいて、撮影時には、カメラを安定して構えられる等の利点から、被写体確認用に覗き込み型ファインダが使用されることが多い。この場合、ファインダ内の画面を見ながら、タッチパネルを操作することになるが、ファインダを覗きながらタッチパネル操作を行うには、いわゆるブラインドタッチなるため、背面表示部を直接見ながら行う操作に比較し困難なものとなる。
【０００４】
そこで、ＬＣＤ表示が横に開放されるタイプのカメラにおいて、ビューファインダ使用時にタッチパネルの４隅にそれぞれ１つだけ操作項目を配置するようにしたカメラが提案されている（特許文献１参照）。また、ファインダが背面表示部の真上に配置されるタイプでは、タッチパネルに近い位置に頭が位置してしまい、タッチパネルのスペースが少なくなることから、入力できる項目を減らしたり、特定方向への操作を特定上への選択とみなすようにすることにより、操作が簡単にできるようにしたカメラも提案されている（特許文献２参照）。
【先行技術文献】
【特許文献】
【０００５】
【特許文献１】特開２００１−３２６８４３号公報
【特許文献２】特開２００８−２６８７２６号公報
【発明の概要】
【発明が解決しようとする課題】
【０００６】
覗きこみ型ファインダと背面表示部の画面に設けられたタッチパネルが近い位置にあるカメラの場合には、顔がタッチパネルに近い位置にあることから、指の操作に制限を受けてしまう。しかし、ファインダ画面上表示されている撮影条件の変更操作等を、タッチパネル上で行えると大変便利である。
【０００７】
本発明は、このような事情を鑑みてなされたものであり、ファインダを覗き込みながらタッチパネルを操作し、ファインダ画面上で条件設定を可能とするカメラを提供することを目的とする。
【課題を解決するための手段】
【０００８】
上記目的を達成するため第１の発明に係わるカメラは、カメラ本体の背面に配置される背面表示部と、上記背面表示部に重畳するように設けられ、入力される操作指示を検出するタッチパネルと、上記カメラ本体の上部に配置される覗き込み型のＥＶＦと、画像の表示先を上記背面表示部または上記ＥＶＦのいずれかに切換える表示切換部と、上記タッチパネルへの操作を検出して、上記背面表示部または上記ＥＶＦの画面に対する操作指令の入力を制御するタッチパネル制御部と、を備え、上記タッチパネル制御部は、上記表示切換部によって画像の表示先が上記背面表示部に切換えられた場合には、上記タッチパネルへタッチ入力された位置に直接対応する画面上の位置を入力位置と指定し、上記表示切換部によって画像の表示先が上記ＥＶＦに切換えられた場合には、上記タッチパネルへの摺動入力で、その摺動動作の方向および量に応じて上記ＥＶＦ画面上で指定位置を移動させ、当該入力される摺動量に対する画面上での移動量の割合を、上記タッチパネルの１辺の全長より少ない摺動量で、上記ＥＶＦ画面の対応する辺の全長を移動できるようにする。
【０００９】
第２の発明に係わるカメラは、上記第１の発明において、上記タッチパネル制御部は、上記背面表示部使用時には、上記タッチパネルへの入力を有効とする領域を当該タッチパネルの面の全体に設定し、上記ＥＶＦ使用時には、上記タッチパネルへの入力を有効とする領域を当該タッチパネルの面の一部に限定する。
第３の発明に係わるカメラは、上記第２の発明において、カメラ本体の姿勢を検出する姿勢検出部を備え、上記タッチパネル制御部は、上記ＥＶＦ使用時には、上記姿勢検出部によって検出されたカメラ本体の姿勢に応じて、上記有効とする領域を切換える。
【００１０】
第４の発明に係わるカメラは、上記第１の発明において、上記タッチパネル制御部は、上記ＥＶＦ画面使用時の上記移動量の割合として、上記タッチパネルの１辺の全長の半分以下の摺動量で、上記ＥＶＦ画面の対応する辺の全長を移動できるように設定する。
【００１１】
第５の発明に係わるカメラは、上記第２または３の発明において、上記タッチパネル制御部は、タッチ操作が検出された場合に上記背面表示部およびＥＶＦ画面上いずれか切換えられた画面で位置指定用のカーソルを表示し、当該カーソルの摺動操作が検出された場合に当該摺動操作に応じて当該画面上を移動させ、さらに当該摺動操作後にタッチ操作が解除された場合、または当該タッチ操作解除後の再タッチ操作がされた場合には、当該カーソルで指定された画面上の条件を確定させる。
【００１２】
第６の発明に係わるカメラは、上記第５の発明において、上記タッチパネル制御部は、撮影指示があった場合またはカーソル表示が一定時間を経過した場合に、上記カーソルを消去するよう制御する。
【００１３】
第７の発明に係わるカメラは、カメラ本体の背面に配置される背面表示部と、上記背面表示部に重複するように設けられ、入力される操作指示を検出するタッチパネルと、上記カメラ本体の上部に配置された覗き込み型のＥＶＦと、画像の表示先を上記背面表示部または上記ＥＶＦのいずれかに切換える表示切換部と、上記タッチパネルへの操作を検出して、上記背面表示部またはＥＶＦの画面に対する操作指令の入力を制御するタッチパネル制御部と、を備え、上記タッチパネル制御部は、上記表示切換部によって画像の表示先が上記ＥＶＦに切り換えられた場合には、上記背面表示部使用時よりも上記タッチパネルの狭い領域を入力検出領域に設定し、かつ当該検出領域と上記ＥＶＦ領域の画面の各位置を対応付けして、当該検出領域へのタッチ入力を上記ＥＶＦの画面上での対応付けられた位置への入力と指定し、かつ上記タッチパネルへの摺動入力で、その摺動動作の方向および量に応じて上記ＥＶＦ画面上で指定位置を移動させ、当該入力される摺動量に対する画面上での移動量の割合を、上記タッチパネルの１辺の全長より少ない摺動量で、上記ＥＶＦ画面の対応する辺の全長を移動できるようにする。
【００１４】
第８の発明に係わるカメラは、第７の発明において、カメラ本体の姿勢を検出する姿勢検出部を備え、上記タッチパネル制御部は、上記ＥＶＦ使用時には、上記姿勢検出部によって検出されたカメラ本体の姿勢に応じて、上記検出領域を切換える。
【００１５】
第９の発明に係わるカメラは、カメラ本体の背面に配置される背面表示部と、上記背面表示部に重複するように設けられ、入力される操作指示を検出するタッチパネルと、上記カメラ本体の上部に配置された覗き込み型のＥＶＦと、画像の表示先を上記背面表示部または上記ＥＶＦのいずれかに切換える表示切換部と、上記タッチパネルへの操作を検出して、上記背面表示部またはＥＶＦの画面に対する操作指令の入力を制御するタッチパネル制御部と、を備え、上記タッチパネル制御部は、上記背面表示部またはＥＶＦ画面のいずれか切換えられた画面上で、入力される摺動操作の方向および量に応じて指定位置を移動させ、当該入力される摺動量に対する画面上での移動量の割合を、上記ＥＶＦ画面使用時には上記背面表示部使用時よりも大きくする。
【００１６】
第１０の発明に係わるカメラは、第９の発明において、上記タッチパネル制御部は、上記ＥＶＦ画面使用時の上記移動量の割合として、上記タッチパネルの１辺の半分以下の摺動量で、上記ＥＶＦ画面の対応する辺の全長を移動できるように設定する。
【００１７】
第１１の発明に係わるカメラは、第９の発明において、上記タッチパネル制御部は、タッチ操作が検出された場合に上記背面表示部およびＥＶＦ画面上いずれか切換えられた画面で位置指定用のカーソルを表示し、当該カーソルの摺動操作が検出された場合に当該摺動操作に応じて当該画面上を移動させ、さらに当該摺動操作後にタッチ操作が解除された場合、または当該タッチ操作解除後の再タッチ操作がされた場合には、当該カーソルで指定された画面上の条件を確定させる。
【００１８】
第１２の発明に係わるカメラは、第１１の発明において、上記タッチパネル制御部は、撮影指示があった場合またはカーソル表示が一定時間を経過した場合に、上記カーソルを消去するよう制御する。
【発明の効果】
【００１９】
第１、第７、および第９の発明によれば、ファインダを覗き込みながらタッチパネルを操作し、ファインダ画面上で条件設定を可能とすることができ、またタッチパネル上の僅かな動きでＥＶＦ画面の全長を移動することができるカメラを提供することができる。
【００２０】
また、第２の発明によれば、不要な領域を不感領域としたので、誤操作を防止できる。第３の発明によれば、姿勢に応じて切換えるので、カメラの向きを変えても、検出領域が把持される手の動きを考慮して適切な領域が設定される。また、第４の発明によれば、タッチパネルの１辺の全長の半分以下の動きでＥＶＦ画面の全長を移動することができる。第５の発明によれば、入力に応じてカーソルが表示されるようにしたので、情報入力を容易に視認することができる。第６の発明によれば、撮影指示があった場合や一定時間経過した場合にカーソルを消去するようにしたので、画面をすっきり表示することができる。
【００２１】
また、第８の発明によれば、姿勢に応じて切換えるので、カメラの向きを変えても、検出領域が把持される手の動きを考慮して適切な領域が設定される。
【００２２】
また、第１０の発明によれば、タッチパネル上で摺動操作による情報入力の際に、感度を高くしたので、タッチパネル上で僅かな動きで済む。第１１の発明によれば、入力に応じてカーソルが表示されるようにしたので、情報入力を容易に視認することができる。第１２の発明によれば、撮影指示があった場合や一定時間経過した場合にカーソルを消去するようにしたので、画面をすっきり表示することができる。
【図面の簡単な説明】
【００２３】
【図１】本発明の一実施形態に係わるカメラの主として電気回路の構成を示すブロック図である。
【図２】本発明の一実施形態に係わるカメラにおいて、背面表示部の表示を観察する様子を示す図である。
【図３】本発明の一実施形態に係わるカメラにおいて、背面表示部に表示された被写体像から被写体を選択する様子を示す図である。
【図４】本発明の一実施形態に係わるカメラにおいて、ＥＶＦの表示を観察する様子を示す図である。
【図５】本発明の一実施形態に係わるカメラにおいて、ＥＶＦに表示された被写体像を観察しながら、背面表示部上を操作することにより被写体を選択する様子を示す図である。
【図６】本発明の一実施形態に係わるカメラにおいて、カメラを横持ちしＥＶＦに表示された被写体像を観察しながら、背面表示部上を右手で操作することにより被写体を選択する様子（Ａタイプ）を示す図である。
【図７】本発明の一実施形態に係わるカメラにおいて、カメラを横持ちしＥＶＦに表示された被写体像を観察しながら、背面表示部上を左手で操作することにより被写体を選択する様子（Ａタイプ）を示す図である。
【図８】本発明の一実施形態に係わるカメラにおいて、カメラを左手で縦持ちしＥＶＦに表示された被写体像を観察しながら、背面表示部上を左手で操作することにより被写体を選択する様子（Ａタイプ）を示す図である。
【図９】本発明の一実施形態に係わるカメラにおいて、カメラを右手で縦持ちしＥＶＦに表示された被写体像を観察しながら、背面表示部上を左手で操作することにより被写体を選択する様子（Ａタイプ）を示す図である。
【図１０】本発明の一実施形態に係わるカメラにおいて、カメラを横持ちしＥＶＦに表示された被写体像を観察しながら、背面表示部上を右手で操作することにより被写体を選択する様子（Ｂタイプ）を示す図である。
【図１１】本発明の一実施形態に係わるカメラにおいて、カメラを横持ちしＥＶＦに表示された被写体像を観察しながら、背面表示部上を左手で操作することにより被写体を選択する様子（Ｂタイプ）を示す図である。
【図１２】本発明の一実施形態に係わるカメラにおいて、カメラを左上で縦持ちしＥＶＦに表示された被写体像を観察しながら、背面表示部上を左手で操作することにより被写体を選択する様子（Ｂタイプ）を示す図である。
【図１３】本発明の一実施形態に係わるカメラにおいて、カメラを右上で縦持ちしＥＶＦに表示された被写体像を観察しながら、背面表示部上を左手で操作することにより被写体を選択する様子（Ｂタイプ）を示す図である。
【図１４】本発明の一実施形態に係わるカメラにおいて、ＥＶＦに表示された被写体像を観察しながら、背面表示部上を右手で操作することによりカーソル移動を行う様子（Ｃタイプ）を示す図である。
【図１５】本発明の一実施形態に係わるカメラにおいて、ＥＶＦに表示された被写体像を観察しながら、背面表示部上を右手で操作することによりカーソル移動を行う様子（Ｄタイプ）を示す図である。
【図１６】本発明の一実施形態に係わるカメラにおいて、主要被写体選択以外の例を示す図である。
【図１７】本発明の一実施形態に係わるカメラにおいて、Ａ〜Ｄタイプにおける背面表示部にライブビュー画像の表示時と、ＥＶＦにライブビュー画像の表示時におけるタッチパネルの入力方式の関係を示す図である。
【図１８】本発明の一実施形態に係わるカメラにおける動作を示すフローチャートである。
【図１９】本発明の一実施形態に係わるカメラにおける動作を示すフローチャートである。
【図２０】本発明の一実施形態に係わるカメラにおける動作を示すフローチャートである。
【図２１】本発明の一実施形態に係わるカメラにおける動作を示すフローチャートである。
【発明を実施するための形態】
【００２４】
以下、図面に従って本発明を適用したカメラを用いて好ましい実施形態について説明する。本発明の好ましい一実施形態に係わるカメラは、デジタルカメラであり、撮像部を有し、この撮像部によって被写体像を画像データに変換し、この変換された画像データに基づいて、被写体像を本体の背面に配置した背面表示部または覗き込み型のＥＶＦにライブビュー表示する。撮影者はライブビュー表示を観察することにより、構図やシャッタチャンスを決定する。また、背面表示部にはタッチパネルが設けられており、このタッチパネルをタッチすることにより、そのタッチ位置、摺動方向、摺動量等の操作に応じて、被写体像の選択等の操作を行うことができる。レリーズ操作時には、静止画や動画の画像データが画像記憶部に記録される。画像記憶部に記録された静止画や動画の画像データは、再生モードを選択すると、表示部に再生表示することができる。
【００２５】
図１は、本発明の一実施形態に係わるカメラ１の構成を示すブロック図である。カメラ１は、カメラ本体部１０と交換レンズ部５０から構成される。交換レンズ部５０は、内部に撮影レンズユニット５２（図２参照）および絞りを有し、ピント位置や焦点距離や開口量の調節を行う。また、交換レンズ部５０は、カメラ本体部１０に着脱自在であり、カメラ本体部１０に装着すると、カメラ本体部１０内の対レンズ制御部１７を介して、制御部１１と通信を行うことが可能である。
【００２６】
対レンズ制御部１７は、制御部１１からの指示に従い、交換レンズ部５０に対して制御信号を出力すると共に、交換レンズ部５０から受信した各種交換レンズ情報を制御部１１に出力する。制御部（ＣＰＵ：Central Processing Unit）１１は、プログラム／データ記憶部１２に記憶された制御プログラムに従って動作し、カメラ１の全体制御を行う。
【００２７】
制御部１１内には、表示切換部１１ａ、カメラ向き判断部１１ｂ、画面情報制御部１１ｃ、タッチパネル制御部１１ｄ、および釦操作検出部１１ｅが設けられている。制御部１１内の１１ａ〜１１ｅは、制御プログラムにより実行される処理の一部であるので、制御部１１に含まれる機能部として説明する。
【００２８】
表示切換制御部１１ａは、画像の表示先を背面表示部２９またはＥＶＦ３０のいずれかに切換える。本実施形態においては、ライブビュー表示や再生表示等の画像の表示装置としては、後述するように背面表示部２９およびＥＶＦ３０の２つがあり、いずれか一方に画像の表示を行うようにしている。表示切換制御部１１ａは、検出部１５から検出結果を入力し、この検出結果に基づいて、２つの表示部の内のいずれか１つに表示を行う切換え制御を行う。
【００２９】
カメラ向き判断部１１ｂは、後述する傾き検出部１６からの検知出力を入力し、カメラ本体部１０の姿勢を判断する。すなわち、カメラ１の長手方向が重力方向に沿った縦位置であるか、長手方向が重力方向と垂直な方向に沿った横位置のいずれにあるかを判定する。また、縦位置の場合には、長手方向の際の右側が上か、左側が上側かも判定する。画面情報制御部１１ｃは、背面表示部２９およびＥＶＦ３０にライブビュー表示を行う際に、カーソル８４（図３（ｃ）参照）等の所定のメニューや情報を表示する。
【００３０】
タッチパネル制御部１１ｄは、タッチパネル部１４の出力に接続されており、ユーザのタッチパネル部１４への操作を検出して、背面表示部２９またはＥＶＦ３０の画面に対する操作指令の入力を制御する。タッチパネル制御部１１ｄは、指示検出方式として、タッチパネル部１４へタッチ入力された位置に直接対応する画面上の位置を入力位置と指定する方式と、タッチパネル部１４への摺動入力でその摺動方向および量に応じて指定位置を移動させるようにする方式（以下タッチパッドとも称する）の２つの方式を適宜選択する。また、後述するように、タッチパネル部１４は全面においてタッチ状態を検出可能であるが、設定されているモードおよびカメラ１の姿勢に応じて、タッチパネル制御部１１ｄはタッチ状態を検出するエリアを制限する。釦操作検出部１１ｅは、操作部１３に接続されており、操作部１３の操作状態を検出する。
【００３１】
制御部１１には、プログラム／データ記憶部１２、操作部１３、タッチパネル部１４、検出部１５、傾き検出部１６、およびバス３１が接続されている。プログラム／データ記憶部１２は、不揮発性のメモリであり、前述したように制御部１１において実行するプログラムや、各種データを記憶している。
【００３２】
操作部１３は、ユーザがカメラに指示を与えるための各種操作部材を有する。各種操作部材としては、電源釦、レリーズ釦１３ａ（図３（ａ）参照）、十字釦、ＯＫ釦、再生釦等を有し、各種操作部材の操作状態の検出結果を制御部１１の釦操作検出部１１ｅに出力する。
【００３３】
タッチパネル部１４は、図２に示すように、背面表示部２９の前面に配置されている。なお、背面表示部２９と一体に構成するようにしても構わない。ユーザが背面表示部２９の画面をタッチすると、タッチパネル部１４は、タッチ位置およびタッチ方向を検出し、検出結果をタッチパネル制御部１１ｄに出力する。
【００３４】
検出部１５は、図４に示すように、カメラ本体部１０のＥＶＦ３０の接眼部に設けられ、赤外線等の投光部と、この赤外線の反射光１５Ｒを受光する受光部とから構成されている。検出部１５は、ユーザが接眼部を覗くと、投光された赤外線がユーザの目の周辺によって反射され、この反射光を受光し、検知信号を出力する。なお、本実施形態においては、投受光タイプの検出方式を採用しているが、これ以外にも、ユーザの瞳を検出する等、他の方式を採用しても勿論かまわない。
【００３５】
傾き検出部１６は、カメラ本体部１０が傾き状態を検出するための重力検知センサを含み、重力方向とカメラ１の長手方向のなす角度に応じた検知信号を、カメラ向き判断部１１ｂに出力する。
【００３６】
バス３１には、前述の制御部１１の他に、撮像処理部２２、ＳＤＲＡＭ（Synchronous Dynamic Random Access Memory）２３、画像処理部２４、圧縮伸張部２５、記録再生部２６、表示処理部２８が接続されている。撮像処理部２２は、撮像素子２１に接続されており、この撮像素子２１は、交換レンズ部５０によって形成された被写体像を画像信号に変換する。撮像素子処理部２２は、撮像素子２１から画像信号を読み出し、デジタルの画像データに変換し、バス３１に出力する。
【００３７】
ＳＤＲＡＭ２３は電気的に書き換え可能な揮発性の一時記憶メモリであり、撮像処理部２２から出力される静止画像や連続画像（動画を含む）等の画像データの一時記憶に用いられる。画像処理部２４は、デジタル画像データのデジタル的増幅（デジタルゲイン調整処理）、ホワイトバランス、色補正、ガンマ（γ）補正、コントラスト補正、ライブビュー表示用画像生成、動画画像生成、インデックス画像（縮小画像）生成等の各種の画像処理を行なう。
【００３８】
圧縮伸張部２５はＳＤＲＡＭ２３に一時記憶された静止画像や連続画像の画像データをＪＰＥＧやＴＩＦＦ等の圧縮方式により圧縮し、また表示等のために伸張するための回路である。なお、画像圧縮はＪＰＥＧ、ＴＩＦＦ、ＭＰＥＧに限らず、他の圧縮方式も適用できる。
【００３９】
表示処理部２８は、撮影時にはライブビュー表示を、レリーズ時にはレックビュー表示を、再生時には再生画像を、背面表示部２９またはＥＶＦ３０に表示させる。背面表示部２９は、表示処理部２８に接続されており、カメラ本体部１０の背面に配置された液晶モニタや有機ＥＬ等のディスプレイを有する。表示処理部２８の制御により背面表示部２９ディスプレイの画面に所定の画像が表示される。
【００４０】
表示処理部２８に接続されたＥＶＦ３０は、図４に示すように、カメラ本体部１０の内部に設けられた画像表示用の電子ビューファインダ用液晶（以下、ＥＶＦＬＣＤ）３２と、接眼レンズ３４とから構成されている。ユーザが接眼レンズ３４を覗くことにより、ライブビュー表示等の画像を観察することができる。
【００４１】
記録・再生部２６は、圧縮伸張部２５において圧縮された画像データを画像記憶部２７に記憶し、また、画像記憶部２７に記憶された撮影画像の画像データを読み出す。この読み出された画像データは、圧縮伸張部２５において伸張され、この伸張された画像データに基づいて、背面表示部２９またはＥＶＦ３０に画像が再生表示される。画像記憶部２７は、記録・再生部２６に接続されており、カメラ本体部１０に内蔵、または装填可能な画像データの記録媒体である。この画像記憶部２７に、静止画像や連続画像が記録されている。
【００４２】
次に、本実施形態における背面表示部２９とＥＶＦ３０における使用方法について、図２ないし図１６を用いて説明する。図２および図３は、一般的な背面表示部２９の使用状態を示す。背面表示部２９を使用する際には、背面表示部２９にライブビュー表示等の画像が表示され、これをユーザ７１が観察することができる。
【００４３】
図３は、背面表示部２９にライブビュー表示した際に、ＡＦ（Auto Focus）やＡＥ（Auto Exposure）等のために被写体を選択する方法を示す。まず、図３（ａ）は、背面表示部２９にライブビュー表示がなされている様子を示す。すなわち、背面表示部２９にはライブビュー画像が表示され、一方、ＥＶＦ３０のＥＶＦＬＣＤ３２にはライブビュー画像は表示されない。前述したように、表示切換部１１ａは検出部１５の検出結果に基づいて、ユーザが接眼レンズ３４を覗いていない場合には、背面表示部２９のみに表示を行うからである。
【００４４】
背面表示部２９には、図３（ａ）〜（ｃ）に示すように、被写体８１ａおよび８１ｂが表示されている。この場合、ユーザが被写体８１ｂにピントや露出制御を合わせたい場合には、図３（ｂ）に示すように、被写体８１ｂをタッチする。タッチパネル部１４が被写体８１ｂへのタッチ信号を出力すると、画面情報制御部１１ｃは背面表示部２９に、図３（ｃ）に示すように、被写体８１ｂに重畳してカーソル８４を表示する。
【００４５】
図４および図５は、ＥＶＦ３０の使用状態を示す。ユーザ７１がＥＶＦ３０の接眼部を覗きこむと、図４に示すように、検出部１５がユーザ７１を検出し、検出結果を表示切換制御部１１ａに出力する。表示切換制御部１１ａは、この検出結果に基づいて、ＥＶＦ３０を表示状態とする。この結果、ＥＶＦＬＣＤ３２にライブビュー画像等が表示され、一方、背面表示部２９における表示は終了する。
【００４６】
図５は、ＥＶＦ３０のＥＶＦＬＣＤ３２にライブビュー表示した際に、ＡＦ（Auto Focus）やＡＥ（Auto Exposure）のために被写体を選択する方法を示す。図５（ａ）は、ＥＶＦＬＣＤ３２にライブビュー表示がなされている様子を示す。すなわち、ＥＶＦＬＣＤ３２にはライブビュー画像が表示され、一方、背面表示部２９にはライブビュー画像は表示されない。
【００４７】
ＥＶＦＬＣＤ３２には、図５（ａ）〜（ｃ）に示すように、被写体８１ａおよび８１ｂが表示されている。この場合、ユーザが被写体８１ｂにピントや露出制御を合わせたい場合には、図５（ａ）に示すように、背面表示部２９上に設けられているタッチパネル部１４上でタッチ操作やタッチパッド操作を行う。タッチパネル部１４が検知信号を出力すると、画面情報制御部１１ｃはＥＶＦＬＣＤ３２に、図５（ｃ）に示すように、被写体８１ｂに重畳してカーソル８４を表示する。なお、本実施形態において、タッチパネル部１４上での操作はＡタイプ〜Ｄタイプの４タイプが用意されており、ユーザはいずれかの方法を予め設定しておく。
【００４８】
まず、タッチパネル部１４上での操作方法のうちのＡタイプについて、図６ないし図９を用いて説明する。図６は、Ａタイプのうち、カメラ１を横持ちし、右手で操作する場合を示す（このタイプをＡ−ＨＲタイプと称す）。ここで、横持ちは、カメラ１の長手方向が重力と垂直となるような持ち方である。ライブビュー表示をＥＶＦＬＣＤ３２に行っている状態で、ユーザが被写体８１ｂにピントや露出制御を合わせたい場合には、図６（ａ）に示すように、右指７１Ｒを背面表示部２９の画面上でタッチパネル部１４をワンタッチした後にＰ１方向またはＰ２方向等の方向に摺動させる、いわゆるタッチパッド操作を行う。
【００４９】
背面表示部２９の画面上で、タッチパッド操作を行う場合、タッチパネル部１４の全面を検出エリアとはしない。すなわち、図６（ｂ）に示すように、タッチパネル部１４の内の有効範囲１４ａの領域のみ右指７１Ｒによるタッチパッド操作を検知し、無効範囲１４ｂでタッチパッド操作がなされても、タッチパネル部１４は検出することはない。
【００５０】
右指７１Ｒが有効範囲１４ａを最初にタッチすると、図６（ｃ）に示すように、カーソル８４が、ＥＶＦＬＣＤ３２の画面のほぼ中央に表示される。この状態で、右指７１Ｒを背面表示部２９上でＰ１方向またはＰ２方向等に摺動させると、カーソル８４もＰ１方向またはＰ２方向等に移動する。
【００５１】
ユーザが意図する被写体、図６に示す例では被写体８１ｂに、カーソル８４が重畳した際に、ユーザの右指７１Ｒで１クリック操作（ワンタッチ操作）を行うと、カーソル８４の位置が確定する（図６（ｄ）参照）。カーソル８４の位置が確定し、一定時間が経過すると、カーソル８４は自動的に非表示状態となる。
【００５２】
図７は、Ａタイプのうち、カメラ１を横持ちし、左手で操作する場合を示す（このタイプをＡ−ＨＬタイプと称す）。ＥＶＦＬＣＤ３２にライブビュー表示を行っている状態で、ユーザが被写体８１ｂにピントや露出制御を合わせたい場合には、図７（ａ）に示すように、左指７１Ｌを背面表示部２９の画面上でワンタッチした後に摺動させ、タッチパッド操作を行う。
【００５３】
このタイプでも、Ａ−ＨＲタイプと同様、背面表示部２９の画面上で、タッチパッド操作を行う場合、タッチパネル部１４の全面を検出エリアとはしない。すなわち、図７（ｂ）に示すように、タッチパネル部１４の内の有効範囲１４ａの領域のみ左指７１Ｌによるタッチパッド操作を検知し、無効範囲１４ｂでタッチパッド操作がなされても、タッチパネル部１４は検出することはない。
【００５４】
左指７１Ｌが有効範囲１４ａを最初にタッチすると、Ａ−ＨＲタイプの場合と同様に、カーソル８４が、ＥＶＦＬＣＤ３２の画面のほぼ中央に表示される（図７（ｃ）参照）。この状態で、左指７１Ｌをタッチパネル部１４上で摺動させると、カーソル８４も摺動した方向に移動する。
【００５５】
ユーザが意図する被写体にカーソル８４が重畳すると、左指７１Ｌで１クリック操作を行うと、カーソル８４の位置が確定する。カーソル８４の位置が確定し、一定時間が経過すると、カーソル８４は自動的に非表示状態となる。
【００５６】
図８は、Ａタイプのうち、カメラ１を左上に縦持ちし、左手で操作する場合を示す（このタイプをＡ−ＶＬタイプと称す）。ここで、左上に縦持ちは、カメラ１の長手方向が重力と同じ方向になるようにし、しかも横持ちした際の左側が上側となるような持ち方である。ライブビュー表示をＥＶＦＬＣＤ３２に行っている状態で、ユーザが被写体８１ｂにピントや露出制御を合わせたい場合には、図８（ａ）に示すように、左指７１Ｌを背面表示部２９の画面上でワンタッチした後に摺動させ、タッチパッド操作を行う。
【００５７】
このタイプでも、Ａ−ＨＲタイプやＡ−ＨＬタイプと同様、背面表示部２９の画面上で、タッチパッド操作を行う場合、タッチパネル部１４の全面を検出エリアとはしない。すなわち、図８（ｂ）に示すように、タッチパネル部１４の内の有効範囲１４ａの領域のみ左指７１Ｌによるタッチパッド操作を検知し、無効範囲１４ｂでタッチパッド操作がなされても、タッチパネル部１４は検出することはない。なお、ここでは、有効範囲１４ａとして、その長手方向がＥＶＦの長手の向きと同じなるような形状を採用している。もちろん、正方形でもあるいは横長形状にしてもよい。
【００５８】
左指７１Ｌが有効範囲１４ａを最初にタッチすると、Ａ−ＨＲタイプやＡ−ＨＬタイプの場合と同様に、カーソル８４が、ＥＶＦＬＣＤ３２の画面のほぼ中央に表示される。この状態で、左指７１Ｌを背面表示部２９上で摺動させると、カーソル８４も摺動した方向に移動する。
【００５９】
ユーザが意図する被写体にカーソル８４が重畳すると、左指７１Ｌで１クリック操作を行うと、カーソル８４の位置が確定する。カーソル８４の位置が確定し、一定時間が経過すると、カーソル８４は自動的に非表示状態となる。
【００６０】
図９は、Ａタイプのうち、カメラ１を右上に縦持ちし、左手で操作する場合を示す（このタイプをＡ−ＶＲタイプと称す）。ここで、右上に縦持ちは、カメラ１の長手方向が重力と同じ方向になるようにし、しかも横持ちした際の右側が上側となるような持ち方である。ライブビュー表示をＥＶＦＬＣＤ３２に行っている状態で、ユーザが被写体８１ｂにピントや露出制御を合わせたい場合には、図９（ａ）に示すように、左指７１Ｌを背面表示部２９の画面上でワンタッチした後に摺動させ、タッチパッド操作を行う。
【００６１】
このタイプでも、前の３つのタイプと同様、背面表示部２９の画面上で、タッチパッド操作を行う場合、タッチパネル部１４の全面を検出エリアとはしない。すなわち、図９（ｂ）に示すように、タッチパネル部１４の内の下側の部分の有効範囲１４ａの領域のみ左指７１Ｌによるタッチパッド操作を検知し、無効範囲１４ｂでタッチパッド操作がなされても、タッチパネル部１４は検出することはない。
【００６２】
左指７１Ｌが有効範囲１４ａを最初にタッチすると、前の３つのタイプの場合と同様に、カーソル８４が、ＥＶＦＬＣＤ３２の画面のほぼ中央に表示される。この状態で、左指７１Ｌを背面表示部２９のタッチパネル部１４上で摺動させると、カーソル８４も摺動した方向に移動する。
【００６３】
ユーザが意図する被写体にカーソル８４が重畳すると、左指７１Ｌで１クリック操作を行うと、カーソル８４の位置が確定する。カーソル８４の位置が確定し（図９（ｃ）参照）、一定時間が経過すると、カーソル８４は自動的に非表示状態となる。
【００６４】
このように、Ａタイプが設定された場合、ＥＶＦ３０によってライブビュー画像等が表示され、被写体を選択する場合には、背面表示部２９をタッチパッド操作することにより、カーソル８４を移動させ、１クリック操作により、カーソル８４の位置を確定させることができる。このとき、タッチパッド操作を検知するエリア（有効範囲１４ａ）を設け、この範囲でのみタッチパッド操作を有効にしている。このため、誤って、無効範囲１４ｂを触ったとしても、誤操作となることがない。
【００６５】
次に、被写体の選択方法のうちのＢタイプについて、図１０ないし図１３を用いて説明する。前述のＡタイプは、ライブビュー表示をＥＶＦＬＣＤ３２に行っている状態で、背面表示部２９上をタッチパッド操作することにより、カーソル８４の位置を決めていた。これに対して、Ｂタイプは、背面表示部２９上をタッチする際のタッチ位置で位置決めを行うようにしている。
【００６６】
図１０は、Ｂタイプのうち、カメラ１を横持ちし、右手で操作する場合を示す（このタイプをＢ−ＨＲタイプと称す）。ライブビュー表示をＥＶＦＬＣＤ３２に行っている状態で、ユーザが被写体８１ｂにピントや露出制御を合わせたい場合には、図１０（ａ）に示すように、右指７１Ｒを背面表示部２９の画面上をワンタッチする。このときタッチした位置をタッチパネル部１４が検知するので、この位置に応じて画面情報制御部１１ｃがカーソル８４の位置決めを行う。
【００６７】
ただし、背面表示部２９の画面上で、タッチ操作を行う場合、タッチパネル部１４の全面を検出エリアとはしない。すなわち、図１０（ｂ）に示すように、タッチパネル部１４の内の有効範囲１４ａの領域のみ右指７１Ｒによりタッチ操作を検知し、無効範囲１４ｂでタッチ操作がなされても、タッチパネル部１４は検出することはない。図１０（ｂ）には、説明の都合上、被写体相当位置８１Ｍａ，８１Ｍｂを示しているが、この被写体相当位置８１Ｍａ、８１Ｍｂにおける破線は、実際には非表示である。
【００６８】
右指７１Ｒが有効範囲１４ａ内の被写体相当位置８１Ｍｂをワンタッチすると、図１０（ｄ）に示すように、カーソル８４が、ＥＶＦＬＣＤ３２の被写体８１ｂ上に重畳して表示される。もし、カーソル８４の位置がユーザの意図する位置でなかった場合には、再度、背面表示部２９をワンタッチすることにより、カーソル８４の位置決めを行えばよい。なお、本実施形態においては、ワンタッチにより位置決めを行うようにしているが、ダブルクリックにより位置決めを行うようにしても勿論かまわない。
【００６９】
図１１は、Ｂタイプのうち、カメラ１を横持ちし、左手で操作する場合を示す（このタイプをＢ−ＨＬタイプと称す）。ライブビュー表示をＥＶＦＬＣＤ３２に行っている状態で、ユーザが被写体８１ｂにピントや露出制御を合わせたい場合には、図１１（ａ）に示すように、左指７１Ｌを背面表示部２９の画面上でワンタッチを行う。このときタッチした位置に応じて画面情報制御部１１ｃがカーソル８４の位置決めを行う。
【００７０】
背面表示部２９の画面上で、タッチ操作を行う場合、Ｂ−ＨＲタイプと同様、タッチパネル部１４の全面を検出エリアとはしない。すなわち、図１１（ｂ）に示すように、タッチパネル部１４の内の有効範囲１４ａの領域のみ左指７１Ｌによりタッチ操作を検知し、無効範囲１４ｂでタッチ操作がなされても、タッチパネル部１４は検出することはない。図１１（ｂ）においても、説明の都合上、被写体相当位置８１Ｍａ，８１Ｍｂを示しているが、この被写体相当位置８１Ｍａ、８１Ｍｂにおける破線は、実際には非表示である。
【００７１】
左指７１Ｌが有効範囲１４ａ内の被写体相当位置８１Ｍｂをワンタッチすると、不図示のカーソルが、ＥＶＦＬＣＤ３２の被写体８１ｂ上に重畳して表示される。もし、カーソルの位置がユーザの意図する位置でなかった場合には、再度、背面表示部２９をワンタッチすることにより、カーソルの位置決めを行えばよい。
【００７２】
図１２は、Ｂタイプのうち、カメラ１を左上に縦持ちし、左手で操作する場合を示す（このタイプをＢ−ＶＬタイプと称す）。ライブビュー表示をＥＶＦＬＣＤ３２に行っている状態で、ユーザが被写体８１ｂにピントや露出制御を合わせたい場合には、図１２（ａ）に示すように、左指７１Ｌを背面表示部２９の画面上でワンタッチを行う。このときタッチした位置に応じて画面情報制御部１１ｃがカーソル８４の位置決めを行う。
【００７３】
背面表示部２９の画面上で、タッチ操作を行う場合、Ｂ−ＨＲタイプやＢ−ＨＬタイプと同様、タッチパネル部１４の全面を検出エリアとはしない。すなわち、図１２（ｂ）に示すように、タッチパネル部１４の内の上側の有効範囲１４ａの領域のみ左指７１Ｌによりタッチ操作を検知し、無効範囲１４ｂでタッチ操作がなされても、タッチパネル部１４は検出することはない。図１２（ｂ）においても、説明の都合上、被写体相当位置８１Ｍａ，８１Ｍｂを示しているが、この被写体相当位置８１Ｍａ、８１Ｍｂにおける破線は、実際には非表示である。
【００７４】
左指７１Ｌが有効範囲１４ａ内の被写体相当位置８１Ｍｂをワンタッチすると、カーソル８４が、ＥＶＦＬＣＤ３２の被写体８１ｂ上に重畳して表示される。もし、カーソル８４の位置がユーザの意図する位置でなかった場合には、再度、背面表示部２９をワンタッチすることにより、カーソル８４の位置決めを行えばよい。
【００７５】
図１３は、Ｂタイプのうち、カメラ１を右上に縦持ちし、右手で操作する場合を示す（このタイプをＢ−ＶＲタイプと称す）。ライブビュー表示をＥＶＦＬＣＤ３２に行っている状態で、ユーザが被写体８１ｂにピントや露出制御を合わせたい場合には、図１３（ａ）に示すように、右指７１Ｒを背面表示部２９の画面上でワンタッチを行う。このときタッチした位置に応じて画面情報制御部１１ｃがカーソル８４の位置決めを行う。
【００７６】
背面表示部２９の画面上で、タッチ操作を行う場合、Ｂタイプの前の３つタイプと同様、タッチパネル部１４の全面を検出エリアとはしない。すなわち、図１３（ｂ）に示すように、タッチパネル部１４の内の下側の有効範囲１４ａの領域のみ右指７１Ｒによりタッチ操作を検知し、無効範囲１４ｂでタッチ操作がなされても、タッチパネル部１４は検出することはない。図１３（ｂ）においても、説明の都合上、被写体相当位置８１Ｍａ，８１Ｍｂを示しているが、この被写体相当位置８１Ｍａ、８１Ｍｂにおける破線は、実際には非表示である。
【００７７】
右指７１Ｒが有効範囲１４ａ内の被写体相当位置８１Ｍｂをワンタッチすると、カーソル８４が、ＥＶＦＬＣＤ３２の被写体８１ｂ上に重畳して表示される。もし、カーソル８４の位置がユーザの意図する位置でなかった場合には、再度、背面表示部２９をワンタッチすることにより、カーソル８４の位置決めを行えばよい。
【００７８】
次に、被写体の選択方法のうちのＣタイプについて、図１４を用いて説明する。ＣタイプでのＥＶＦ使用時は、タッチパッド操作によりカーソルの位置決めを行うが、その際、タッチパッド操作の摺動量検知の感度を高くするようにしている。
【００７９】
図１４（ａ）は、背面表示部２９にライブビュー表示を行っている様子を示し、図１４（ｂ）（ｃ）は、ＥＶＦ３０にライブビュー表示を行っている様子を示す。ＥＶＦ表示時に被写体の選択を行うには、Ａタイプの場合のようなタッチパッド操作により行うが、本実施形態においては、タッチパッド操作の摺動量検知の感度を２倍に高くしている。すなわち、図１４（ｂ）に示すように、背面表示部２９上でＸ０／２、Ｙ０／２だけタッチパッド操作で摺動させたとすると、図１４（ｃ）に示すように、Ｘ、Ｙ分、摺動移動する。
【００８０】
今、背面表示部２９（タッチパネル部１４）の画面サイズを、横をＬ、縦をＨとすると、Ｌ／２以下の摺動量で、ＥＶＦ３０の画面の横幅分の移動を行うことができ、またＨ／２以下の摺動量で、ＥＶＦ３０の画面の縦全部の移動を行うことができる。したがって、Ｃタイプにおいては、狭い領域でもカーソルの移動を行うことができ、ＡタイプやＢタイプのように、タッチパネル部１４上での有効範囲１４ａを限定しなくてもよい。もちろん、誤操作を防止するために、ＡタイプやＢタイプと同様に、マニュアルで領域選択、あるいはカメラの構えた向きで、領域を自動的に設定するようにしてもよい。なお、本実施形態では、摺動量検出のための感度を２倍としたが、これに限らず、これと異なる感度にしても構わない。
【００８１】
次に、被写体の選択方法のうちのＤタイプについて、説明する。Ｄタイプは、背面表示部２９に画像を表示してタッチパネル操作を行う場合には、指示検出方式として、タッチパネル部１４へタッチ入力された位置に直接対応する画面上の位置を入力位置と指定する方式を採用し、ＥＶＦ３０に画像を表示してタッチパネル操作を行う場合には、タッチパネル部１４への摺動入力でその摺動方向および量に応じて指定位置を移動させるようにする方式（タッチパッド）を採用する。
【００８２】
図１５は、ＥＶＦ３０に画像を表示してタッチパッド操作を行う場面の例である。背面表示部２９に画像を表示してタッチパネル操作を行う例は、図３と同様なので省略する。図１５（ａ）は、ＥＶＦ３０にライブビュー表示を行っている様子で、図１５（ｂ）はＥＶＦＬＣＤ３２の画面内容を示している。背面表示部２９（タッチパネル部１４）の画面サイズを、横をＬ、縦をＨとし、ＥＶＦＬＣＤ３２の画面サイズを、横をＬ´縦をＨ´としている。タッチパネル部１４に対する摺動操作によりカーソル８４の位置が決定される。
【００８３】
そして、摺動量の感度として、タッチパネル部１４に対するＬ／２またはそれ以下の摺動量で、ＥＶＦ３０の画面の横幅分Ｌ´の移動を行わせるようにする。同様に、Ｈ／２またはそれ以下の摺動量で、ＥＶＦ３０の画面の縦Ｈ´全部の移動を行わせるようにする。Ｄタイプでも、タッチパッド操作の摺動量検知の感度を高くするので、狭い領域でもカーソルの移動を行うことができ、ＡタイプやＢタイプのように、タッチパネル部１４上での有効範囲１４ａを限定しなくてもよい。
【００８４】
図３ないし図１５では、主被写体を設定する例を説明したが、本発明は主被写体の設定に限らず、種々の設定に応用することができる。例えば、図１６（ａ）（ｂ）に示すように、撮影条件の設定例を示す。
【００８５】
図１６（ａ）は、背面表示部２９に撮影条件設定用表示８５を表示している様子を示す。この場合には、ユーザは意図する撮影条件のアイコンをタッチすれば、撮影条件を設定することができる。図１６（ｂ）は、ＥＶＦ３０に撮影条件設定用表示８５を表示した場合を示す。この場合には、前述した被写体の選択の場合と同様、背面表示部２９をタッチパッド操作やワンタッチ操作（ダブルタッチ操作でも可）することにより、タッチパネル部１４による検出結果に基づいて、画面表示制御部１１ｃが撮影条件を設定する。もちろん、ＡタイプやＢタイプ以外にもＣタイプやＤタイプによって設定するようにしてもかまわない。
【００８６】
また、図１６（ｃ）に示すように、ＡＦ位置の指定に応用してもかまわない。図１６（ｃ）はＥＶＦ３０での画面表示例であり、１１ポイントからなるＡＦ選択枠８６のいずれかを、前述したようなＡタイプ〜Ｄタイプによって選択し、この選択されたＡＦ枠８７を表示するようにしてもよい。
【００８７】
また、図１６（ｄ）に示すように、彩度や輝度等の調整量の設定に応用してもかまわない。図１６（ｄ）はＥＶＦ３０での画面表示例であり、画面の右側には、調整用のスライダー８８が表示される。前述したＡタイプ〜Ｄタイプによってスライダー８８を上下方向に移動させ、調整量を変更するようにしてもよい。
【００８８】
このように、本実施形態においては、タッチパネル部１４上で種々の情報を入力するにあたって、Ａタイプ〜Ｄタイプの４種類の操作方式がある。この３種類の操作方式を図１７にまとめて示す。最上段の「背面表示部」は、背面表示部２９にライブビュー画像が表示される場合を示し、この場合、Ａタイプ、ＢおよびＤが設定されていると、タッチパネル部１４は位置指定のタッチパネル操作によって情報入力される。また、Ｃタイプが設定されていると、タッチパネル部１４は、変位量指定のタッチパッド操作によって情報入力される。
【００８９】
また、最上段の「ＥＶＦ」は、ＥＶＦ３０にライブビュー画像が表示される場合を示し、この場合、Ａタイプが設定されると、タッチパネル部１４は、変位量指定のタッチパッド操作によって情報入力され、この場合、有効範囲１４ａが限定される。この有効範囲１４ａは、カメラ１の姿勢に応じて領域が設定される。Ｂタイプが設定されると、タッチパネル部１４は、位置指定のタッチパネル操作によって情報入力され、有効範囲１４ａが、限定される。この有効範囲１４ａは、カメラ１の姿勢に応じて領域が設定される。また、Ｃタイプが設定されると、タッチパネル部１４は、変位量指定のタッチパッド操作によって情報入力され、この場合、摺動量検知の感度が２倍となる。また、Ｄタイプが設定されると、タッチパネル部１４は、変位量指定のタッチパッド操作によって情報入力され、この場合、摺動量検知の感度をＣタイプと同じ２倍にする。
【００９０】
次に、本実施形態における動作を図１８ないし図２１に示すフローチャートを用いて説明する。これらのフローチャートは、プログラム／データ記憶部１２に記憶されているプログラムに従って制御部１１が実行する。図１８に示すフローに入ると、まず、動作モードが撮影モードか否かの判定を行う（Ｓ１１）。このカメラ１は、動作モードとしては、撮影モードがデフォルトモードであり、再生釦が操作されると、再生モードが設定される。
【００９１】
ステップＳ１１における判定の結果、撮影モードでなかった場合には、再生処理を行う（Ｓ１３）。ここでは、画像記憶部２７から画像データを読み出し、背面表示部２９またはＥＶＦ３０に画像を再生表示する。再生処理が終了すると、ステップＳ１１に戻る。
【００９２】
一方、ステップＳ１１における判定の結果、撮影モードであった場合には、次に、ライブビューに所定のメニューや情報を重畳表示する（Ｓ１５）。ここでは、撮像素子２１からの画像データに基づいて、ライブビュー画像を生成し、このライブビュー画像に撮影条件設定用表示８５、カーソル８４等、設定されているモード等に応じて種々の情報を重畳する。
【００９３】
続いて、ＥＶＦ３０を使用するか否かの判断を行う（Ｓ１７）。ここでは、検出部１５の検知出力に基づいて、表示切換部１１ａがＥＶＦ３０のいずれに表示するかを判断する。なお、検出部１５の検出結果以外にも、メニュー画面や、専用釦、兼用釦等において、ＥＶＦ３０の使用を設定できるようにしても構わない。この判断を行うと、この判断結果に基づいて、次に、ＥＶＦ３０を使用するか否かの判定を行う（Ｓ１９）。
【００９４】
ステップＳ１９における判定の結果、ＥＶＦ３０を使用する場合には、次に、ＥＶＦ３０にライブビューを表示する（Ｓ２１）。この場合には、背面表示部２９には、ライブビュー画像が表示されない。続いて、ＡタイプまたはＢタイプのいずれが設定されているか判定する（Ｓ２３）。Ａタイプ〜Ｄタイプの設定は、メニュー画面において行われることから、このステップでは、メニュー画面での設定状態に基づいて判定する。
【００９５】
ステップＳ２３における判定の結果、ＡタイプまたはＢタイプが設定されていた場合には、次に、カメラ向きを検出する（Ｓ２５）。ここでは、傾き検出部１６の検知結果に基づくカメラ向き判断部１１ｂの判断結果を検出する。続いて、ステップＳ２５での検出結果に基づいて、カメラ横位置か否かの判定を行う（Ｓ２７）。
【００９６】
ステップＳ２７における判定の結果、カメラ１が横位置であった場合には、次に、左側に切換えるか否かの判定を行う（Ｓ２９）。ユーザは、メニュー画面において、右利きか左利きかに応じて、好みで左側か右側かを設定するので、この設定結果に応じて判定する。
【００９７】
ステップＳ２９における判定の結果、左側でなかった場合、すなわち右側であった場合には、有効範囲をＨＲに設定する（Ｓ３１）。Ａタイプであった場合には、図６（ｂ）を用いて説明したように、タッチパネル制御部１１ｄはタッチパネル部１４に有効範囲１４ａを設定する。また、Ｂタイプであった場合には、図１０（ｂ）を用いて説明したように、タッチパネル制御部１１ｄはタッチパネル部１４に有効範囲１４ａを設定する。
【００９８】
一方、ステップＳ２９における判定の結果、左側であった場合には、有効範囲をＨＬに設定する（Ｓ３３）。Ａタイプであった場合には、図７（ｂ）を用いて説明したように、タッチパネル制御部１１ｄはタッチパネル部１４に有効範囲１４ａを設定する。また、Ｂタイプであった場合には、図１１（ｂ）を用いて説明したように、タッチパネル制御部１１ｄはタッチパネル部１４に有効範囲１４ａを設定する。
【００９９】
ステップＳ２７における判定の結果、カメラが横位置出なかった場合、すなわち縦位置であった場合には、次に、左が上の位置か否かの判定を行う（Ｓ３９）。ここでは、傾き検出部１６による検出結果に基づいて、カメラ向き判断部１１ｂが、右が上か、左が上かを判断するので、この判断結果に基づいて判定する。
【０１００】
ステップＳ３９における判定の結果、左が上であった場合には、有効範囲をＶＬに設定する（Ｓ４１）。ここでは、Ａタイプであった場合には、図８（ｂ）を用いて説明したように、タッチパネル制御部１１ｄはタッチパネル部１４に有効範囲１４ａを設定する。また、Ｂタイプであった場合には、図１２（ｂ）を用いて説明したように、タッチパネル制御部１１ｄはタッチパネル部１４に有効範囲１４ａを設定する。
【０１０１】
一方、ステップＳ３９における判定の結果、左が上でなかった場合、すなわち、右が上であった場合には、有効範囲をＶＲに設定する（Ｓ４３）。ここでは、Ａタイプであった場合には、図９（ｂ）を用いて説明したように、タッチパネル制御部１１ｄはタッチパネル部１４に有効範囲１４ａを設定する。また、Ｂタイプであった場合には、図１３（ｂ）を用いて説明したように、タッチパネル制御部１１ｄはタッチパネル部１４に有効範囲１４ａを設定する。
【０１０２】
ステップＳ３１、Ｓ３３、Ｓ４１、Ｓ４３において有効範囲を設定すると、次に、カーソル８４が表示されているか否かの判定を行う（Ｓ５１、図１９参照）。後述するように、ステップＳ５５においてカーソル表示を行い、ステップＳ７３においてカーソルの消去を行っており、このステップでは、現在、カーソル表示を行っているか否かを判定する。
【０１０３】
ステップＳ５１における判定の結果、カーソルが表示されていなかった場合には、ワンタッチ操作が有るか否かの判定を行う（Ｓ５３）。ここでは、タッチパネル部１４の検出結果に基づいて判定する。この判定の結果、ワンタッチ操作が有った場合には、カーソル表示を行う（Ｓ５５）。前述したように、Ａタイプでは、画面の略中央に、またＢタイプではワンタッチ位置に、カーソル８４を表示する。
【０１０４】
ステップＳ５１における判定の結果、カーソル８４が表示されていた場合には、次に、カーソルの表示後一定時間が経過したか否かを判定する（Ｓ７１）。この判定の結果、一定時間が経過していた場合には、カーソル８４を消去する（Ｓ７３）。
【０１０５】
一方、ステップＳ７１における判定の結果、カーソル表示後一定時間が経過していない場合には、またはステップＳ５５においてカーソル表示を行うと、次に、Ａタイプが設定されているか否かを判定する（Ｓ５７）。前述したように、Ａタイプ〜Ｄタイプはメニュー画面において設定することから、この設定状態に基づいて判定する。
【０１０６】
ステップＳ５７における判定の結果、Ａタイプが設定されていた場合には、次に、摺動操作有りか否かの判定を行う（Ｓ５９）。前述したように、Ａタイプは、タッチパッド操作により、情報入力する。ここでは、タッチパネル部１４の検知結果に基づいて、摺動操作がなされたか否かを判定する。
【０１０７】
ステップＳ５９における判定の結果、摺動操作が有る場合には、次に、摺動操作の量や方向を検出する（Ｓ６１）。ここでは、タッチパネル部１４の検知結果に基づいて、摺動操作の量および方向を検出する。続いて、操作に応じてＥＶＦ画面でカーソル等の移動を行う（Ｓ６３）。図６ないし図９を用いて説明したように、タッチパネル部１４上での摺動操作に応じて、ＥＶＦ３０の画面上でカーソル８４を移動させる。なお、図１６を用いて説明した他の調整パラメータやメニュー等の情報入力の場合には、それぞれの画面に応じて移動を行う。
【０１０８】
ＥＶＦ画面でカーソル等の移動を行うと、次に、パネルから指が離れたか否かを判定する（Ｓ６５）。ここでは、タッチパネル部１４からの検知結果に基づいて判定する。この判定の結果、パネルから指が離れた場合には、次に、指示を確定する（Ｓ６７）。ユーザが指を離したことにより、主被写体の設定等の情報入力を終了したとみなせることから、指示を確定する。指示を確定すると、続いて、撮影条件を確定する（Ｓ６９）。指示が確定したことから、これに伴い、撮影条件も確定する。
【０１０９】
ステップＳ５７における判定の結果、Ａタイプが設定されていなかった場合、すなわち、Ｂタイプが設定されていた場合には、次に、タッチ操作有りか否かを判定する（Ｓ８１）。前述したように、Ｂタイプは、タッチ操作のタッチ位置により情報入力を行う。ここでは、タッチパネル部１４の検知結果に基づいて、タッチ操作がなされたか否かを判定する。
【０１１０】
ステップＳ８１における判定の結果、タッチ操作があった場合には、次に、タッチ位置を検出する（Ｓ８３）。ここでは、タッチパネル部１４の検知結果に基づいて検出する。続いて、タッチ位置にカーソル表示を行う（Ｓ８５）。図１０ないし図１３を用いて説明したように、タッチパネル部１４上でのタッチ位置に応じて、ＥＶＦ３０の画面上でカーソル８４の位置決めを行う。なお、図１６を用いて説明した他の調整パラメータやメニュー等の情報入力の場合には、それぞれの画面に応じて位置決めを行う。タッチ位置にカーソル表示を行うと指示を確定する（Ｓ８７）。指示を確定すると、前述のステップＳ６９に進む。
【０１１１】
ステップＳ２３（図１８参照）における判定の結果、ＡタイプおよびＢタイプのいずれでもなかった場合には、すなわち、ＣタイプまたはＤタイプであった場合には、感度をデフォルトの２倍に設定する（Ｓ１０１、図２１）。ＣタイプまたはＤタイプは、前述したようにタッチパッド操作であるが、Ａタイプに比較し、摺動量検知の感度が２倍になっている。そこで、ステップＳ１０１において、感度をデフォルトの２倍に設定している。
【０１１２】
感度を２倍に設定すると、次に、ステップＳ５９と同様に、摺動操作有りか否かの判定を行う（Ｓ１０５）。ここでは、タッチパネル部１４の検知結果に基づいて、摺動操作がなされたか否かを判定する。続いて、ステップＳ６１と同様に、摺動操作の量や方向を検出する（Ｓ１０７）。ここでは、タッチパネル部１４の検知結果に基づいて、摺動操作の量および方向を検出する。
【０１１３】
続いて、操作に応じてＥＶＦ画面または背面画面でカーソル等の移動を行う（Ｓ１０９）。ＥＶＦ表示でＣタイプまたはＤタイプが設定されている場合には、タッチパネル部１４上での摺動操作に応じて、ＥＶＦ３０の画面上でカーソル８４を移動させる。また、後述するステップＳ１０３を経てステップＳ１０９に到る場合は、ＥＶＦ表示ではなく背面表示部２９での表示であり、この場合には背面画面でカーソル等の移動を行う。
【０１１４】
操作に応じたカーソル等の移動を行うと、次に、パネルから指が離れ、再度、タッチされたか否かを判定する（Ｓ１１１）。タッチパネル部１４からの検知結果に基づいて、ダブルタッチ操作されたかを判定する。ステップＳ１１１における判定の結果、パネルから指が離れ、再度タッチされた場合には、指示を確定し（Ｓ１１３）、撮影条件を設定する（Ｓ１１５）。
【０１１５】
ステップＳ１９（図１８参照）における判定の結果、ＥＶＦを使用しない場合には、次に、背面表示部２９にライブビュー表示を行う（Ｓ３５）。この場合には、ＥＶＦ３０には、ライブビュー表示を行われない。背面表示部２９にライブビュー表示を行うと、次に、ステップＳ２３と同様に、Ａタイプ、ＢタイプまたはＤタイプかの判定を行う（Ｓ３７）。
【０１１６】
ステップＳ３７における判定の結果、Ａタイプ、ＢタイプまたはＤタイプのいずれかであれば、前述のステップＳ８１に進む。図１７を用いて説明したように、背面表示部２９にライブビュー表示する場合には、タッチパネル部１４にはタッチ操作によって情報入力を行う。このため、実質的には、ＥＶＦ表示の際のＢタイプとしての使用と同じになる。
【０１１７】
一方、ステップＳ３７における判定の結果、Ａタイプ、Ｂタイプ、Ｄタイプのいずれでもない場合、すなわち、Ｃタイプの場合には、感度をデフォルトのままとし（Ｓ１０３、図２１参照）、ステップＳ１０５に進む。この場合は、Ｃタイプが設定されているが、背面表示部２９での表示であることから、タッチパッド操作の感度はデフォルトのままとして、ステップＳ１０５以下において、背面表示を実行する。
【０１１８】
ステップＳ５３における判定の結果、ワンタッチ操作がなかった場合、またはステップＳ５９における判定の結果、摺動操作がなかった場合、またはステップＳ６５における判定の結果、パネルから指が離れていなかった場合、またはステップＳ６９において撮影条件の確定を行うと、またはステップＳ８１における判定の結果、タッチ操作がなかった場合、またはステップＳ７３においてカーソルの消去を行うと、ステップＳ９１に進む。また、ステップＳ１１５において、撮影条件を設定すると、またステップＳ１１１における判定の結果、パネルから指が離れ再度タッチされなかった場合、またはステップＳ１０５における判定の結果、摺動操作がなかった場合にもステップＳ９１に進む。
【０１１９】
ステップＳ９１においては、レリーズ操作が有りか否かを判定する。ここでは、釦操作検出部１１ｅが、レリーズ釦１３ａが押し込まれたか否かに基づいて判定する。この判定の結果、レリーズ操作がなされた場合には、次に、カーソル消去を行う（Ｓ９３）。ここでは、画面情報制御部１１ｃがカーソル８４の表示を消去する。
【０１２０】
カーソルを消去すると、次に、撮影処理を実行する（Ｓ９５）。ここでは、撮像素子２１は、シャッタ速度時間の間、被写体像を露光する。露光終了後、撮像処理部２２は画像信号を読み出し、画像処理部２４および圧縮伸張処理部２５において処理を行った後、画像記憶部２７に画像データの記録を行う。
【０１２１】
撮影処理を実行すると、またはステップＳ９１における判定の結果、レリーズ操作がなかった場合には、次に、モード切換えか否かを判定する（Ｓ９７）。ここでは、再生モードに切り換えられたか否かを判定する。この判定の結果、モード切換えがあった場合には、ステップＳ１３に進み、再生処理を行う。
【０１２２】
一方、ステップＳ９７における判定の結果、モード切換えがない場合には、次に、電源オフか否かの判定を行う（Ｓ９９）。ここでは、釦操作検出部１１ｅが、操作部１３の内の電源釦の操作状態を検出し、この検出結果に基づいて判定する。この判定の結果、電源オフではなかった場合には、ステップＳ１５に戻る。一方、電源オフであった場合には、電源オフ処理を行ったのちメインフローを終了する。再度、電源釦が操作されるとステップＳ１１からスタートする。
【０１２３】
以上説明したように、本発明の一実施形態においては、タッチパネル制御部１１ｄは、表示切換部１１ａによって画像の表示先が背面表示部２９に切換えられた場合には、タッチパネル部１４へタッチ入力された位置に直接対応する画面上の位置を入力位置と指定し、表示切換部１１ａによって画像の表示先がＥＶＦ３０に切換えられた場合には、タッチパネル部１４への摺動入力で、その摺動方向および量に応じて上記ＥＶＦ画面上で指定位置を移動させるようにしている（Ａタイプ）。このため、ＥＶＦ表示の際には、所謂タッチパッドとして機能させて、画面に対応するタッチパネルの位置に直接タッチしなくてもよくなるので、ブラインドタッチでも、位置決めが容易になる。
【０１２４】
また、本発明の一実施形態においては、タッチパネル制御部１１ｄは、表示切換部１１ａによって画像の表示先がＥＶＦ３０に切り換えられた場合には、背面表示部２９の使用時よりもタッチパネル部１４の狭い領域を入力検出領域に設定し、かつ当該検出領域とＥＶＦ領域の画面の各位置を対応付けして、当該検出領域へのタッチ入力をＥＶＦ３０の画面上での対応付けられた位置への入力と指定するようにしている（Ｂタイプ）。領域を狭くしたので、ブランドタッチでも誤操作を防止することができる。
【０１２５】
また、本発明の一実施形態においては、タッチパネル制御部１１ｄは、背面表示部２９またはＥＶＦ３０の画面のいずれか切換えられた画面上で、入力される摺動操作の方向および量に応じて指定位置を移動させ、当該入力される摺動量に対する画面上での移動量の割合を、ＥＶＦ画面使用時には背面表示部使用時よりも大きくするようにしている（Ｃタイプ）。このため、狭い領域でもカーソルの移動を行うことができる。
【０１２６】
また、本発明の一実施形態においては、タッチパネル制御部１１ｄは、背面表示部２９の画面の使用時にはタッチパネル部１４の全域を使い直接入力とし、ＥＶＦ３０の画面の使用時には入力される摺動操作の方向および量に応じて指定位置を移動させるようにする（タッチパッド操作）。そして、摺動操作時に、当該入力される摺動量に対する画面上での移動量の割合を、Ａタイプに比べて大きくするようにしている（Ｄタイプ）。
【０１２７】
また、本発明の一実施形態においては、カメラ向き判断部１１ｂによって、カメラの向きや持ち方を判断し、この判断結果に応じて、タッチパネル部１４の有効範囲１４ａの領域を変えている。このため、ユーザがカメラ１の持ち方を変えた場合であっても最適な位置で情報入力を行うことができる。
【０１２８】
なお、本発明の一実施形態においては、交換レンズ式のカメラに本発明を適用した例を説明したが、これに限らず、撮影レンズがカメラ本体に一体に構成されたカメラにも適用することができる。また、ＥＶＦ３０は、カメラ本体部１０に固定したタイプについて説明したが、これに限らず、着脱式のＥＶＦであっても、勿論かまわない。
【０１２９】
また、本発明の一実施形態においては、ＥＶＦ３０と背面表示部２９の切換えは、検出部１５による自動検出によって切換えていた。しかし、これに限らず、メニュー画面においてマニュアル操作によって、あるいは専用の切換釦や兼用釦等によって切換えるようにしてもよい。検出部１５は必須ではなく省いてもよい。
【０１３０】
また、本発明の一実施形態においては、ＥＶＦ３０を覗きながらタッチパネル部１４で情報入力を行う例として、主被写体選択、撮影条件設定、ＡＦ位置選択、調整量の設定に適用した例を説明した。しかし、これらに限らず、例えば、ライブビューが表示されないメニュー画面上での項目指定、電子ズームにおいて拡大再生位置の指定や移動等、種々の情報入力に適することが可能である。
【０１３１】
また、本発明の一実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【０１３２】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１３３】
１・・・カメラ、１０・・・カメラ本体部、１１・・・制御部、１１ａ・・・表示切換部、１１ｂ・・・カメラ向き判断部、１１ｃ・・・画面情報制御部、１１ｄ・・・タッチパネル制御部、１１ｅ・・・釦操作検出部、１２・・・プログラム／データ記憶部、１３・・・操作部、１３ａ・・・レリーズ釦、１４・・・タッチパネル部、１４ａ・・・有効範囲、１４ｂ・・・無効範囲、１５・・・検出部、１６・・・傾き検出部、２１・・・撮像素子、２２・・・撮像処理部、２３・・・ＳＤＲＡＭ、２４・・・画像処理部、２５・・・圧縮伸張部、２６・・・記録・再生部、２７・・・画像記憶部、２８・・・表示処理部、２９・・・背面表示部、３０・・・ＥＶＦ、３２・・・ＥＶＦＬＣＤ、３４・・・接眼レンズ、５０・・・交換レンズ部、５２・・・撮影レンズユニット、７１・・・ユーザ、７１Ｒ・・・右指、７１Ｌ・・・左指、８１ａ・・・被写体、８１ｂ・・・被写体、８４・・・カーソル、８５・・・撮影条件設定用表示、８６・・・ＡＦ選択枠、８７・・・選択されたＡＦ枠、８８・・・スライダー
【図１】
0005613005.tif 000002
【図２】
0005613005.tif 000003
【図３】
0005613005.tif 000004
【図４】
0005613005.tif 000005
【図５】
0005613005.tif 000006
【図６】
0005613005.tif 000007
【図７】
0005613005.tif 000008
【図８】
0005613005.tif 000009
【図９】
0005613005.tif 000010
【図１０】
0005613005.tif 000011
【図１１】
0005613005.tif 000012
【図１２】
0005613005.tif 000013
【図１３】
0005613005.tif 000014
【図１４】
0005613005.tif 000015
【図１５】
0005613005.tif 000016
【図１６】
0005613005.tif 000017
【図１７】
0005613005.tif 000018
【図１８】
0005613005.tif 000019
【図１９】
0005613005.tif 000020
【図２０】
0005613005.tif 000021
【図２１】
0005613005.tif 000022